(57)【要約】【課題】  表裏混在させて一括収納庫に収納された紙幣を運用すると、表と裏の紙幣は別別の個所に集積されることとなり、表の紙幣のみが出金用として利用でき、裏の紙幣は補充用として収納されてしまうという問題がある。【解決手段】紙幣を一括して収納する紙幣収納部を有し、この紙幣収納部に紙幣を移動可能な回収部を配した一括収納庫と、前記一括収納庫に設けられ、該一括収納庫から紙幣を１枚ずつ繰り出す機能を有する繰り出し集積部と、前記一括収納庫から繰り出された紙幣の少なくとも表裏鑑別を行う鑑別部とを有し、前記繰り出し集積部と紙幣排出部とを結ぶ搬送路の途中に前記鑑別部を配置し、この鑑別部と紙幣排出部との間の搬送路に分岐・反転用のブレードを設けて紙幣を反転させるようにして前記回収部に連結する環状路を形成する搬送路を連結したことを特徴とする。【選択図】        図１
2005234924.tif 000002
【特許請求の範囲】
【請求項１】
紙幣を一括して収納する紙幣収納部を有し、この紙幣収納部に紙幣を移動可能な回収部を配した一括収納庫と、
前記一括収納庫に設けられ、該一括収納庫から紙幣を１枚ずつ繰り出す機能を有する繰り出し集積部と、
前記一括収納庫から繰り出された紙幣の少なくとも表裏鑑別を行う鑑別部とを有し、
前記繰り出し集積部と紙幣排出部とを結ぶ搬送路の途中に前記鑑別部を配置し、この鑑別部と紙幣排出部との間の搬送路に分岐・反転用のブレードを設けて紙幣を反転させるようにして前記回収部に連結する環状路を形成する搬送路を連結させたことにより、
繰り出し集積部より繰り出された紙幣は、搬送路を通り、鑑別部で表裏を判定されて一方向側（例えば表）と判定されると、搬送路により紙幣排出部に搬送され、鑑別部で他方向側（例えば裏）と判定されると、前記ブレードにより前記回収部に連結された環状路を形成する搬送路を通って反転された状態で回収部に戻すことを特徴とする紙幣処理装置。
【発明の詳細な説明】
【技術分野】
【０００１】
本発明は、銀行等の金融機関、コンビニエンスストア等で用いる現金処理装置に係り、特に、紙幣の表裏を反転させて表裏をそろえる反転機構を有することなく、表裏をそろえることができる紙幣処理装置に関する。
【背景技術】
【０００２】
従来の現金処理装置において、紙幣の反転機構を有することなく紙幣の表裏をそろえる技術として、一時保留部に集積されている紙幣が表裏混在している場合、一時保留部に集積されている紙幣は、一旦接客口に送り戻して集積し、その後、紙幣は分離手段により接客口から１枚ずつ搬送路に繰り出し、繰り出された紙幣は鑑別部に送られ、表裏の鑑別を行い、表と鑑別された紙幣は再び一時保留部に戻し、裏と鑑別された紙幣は、一括収納庫に集積している（例えば、特許文献１参照。）。
【特許文献１】特開平１１−１６０２４号公報（第４頁段落００２３−段落００２５、第５図）
【発明の開示】
【発明が解決しようとする課題】
【０００３】
しかしながら、上述した従来の技術においては、表と裏の紙幣は別々の個所、つまり、一時保留部と一括収納庫に集積されることとなり、一時保留部の表の紙幣のみが出金用として利用でき、一括収納庫の紙幣は補充用としてしか利用することができなという問題がある。
本発明は、上記の問題点を解決するためになされたもので、表裏が混在されている紙幣のすべてを表裏を合わせて出金用として利用できるようにする手段を提供することを目的とする。
【課題を解決するための手段】
【０００４】
そこで本発明は、紙幣を一括して収納する紙幣収納部を有し、この紙幣収納部に紙幣を移動可能な回収部を配した一括収納庫と、前記一括収納庫に設けられ、該一括収納庫から紙幣を１枚ずつ繰り出す機能を有する繰り出し集積部と、前記一括収納庫から繰り出された紙幣の少なくとも表裏鑑別を行う鑑別部とを有し、前記繰り出し集積部と紙幣排出部とを結ぶ搬送路の途中に前記鑑別部を配置し、この鑑別部と紙幣排出部との間の搬送路に分岐・反転用のブレードを設けて紙幣を反転させるようにして前記回収部に連結する環状路を形成する搬送路を連結したことにより、繰り出し集積部より繰り出された紙幣は、搬送路を通り、鑑別部で表裏を判定されて一方向側（例えば表）と判定されると、搬送路により紙幣排出部に搬送され、鑑別部で他方向側（例えば裏）と判定されると、前記ブレードにより前記回収部に連結された環状路を形成する搬送路を通って反転された状態で回収部に戻すことを特徴とする。
【発明の効果】
【０００５】
これにより、本発明は、表裏が混在している紙幣を両者ともに表裏をそろえて直ちに利用することができるという効果が得られる。
また、反転機構を必要とせず、短い搬送路によって紙幣の反転を可能にして装置の大型化を伴わない構造となる効果を有する。
【発明を実施するための最良の形態】
【０００６】
以下に、図面を参照して本発明の実施例について説明する。
図１は紙幣処理装置の紙幣補充回収機の内部構成を示す側面図、図２は現金処理装置の一例を示す全体斜視図であり、図において、１は紙幣入出金機、２は紙幣補充回収機、３は施封小束支払機、４は棒金支払機、５は硬貨入出金機、６は制御部、７は操作卓を示す。
【０００７】
このような現金処理装置等における紙幣回収補充について図１を用いて以下に説明する。  １１は一括収納庫であり、紙幣を一括して収納する紙幣収納部１２を有し、収納紙幣は
図示しない上下可能なステージ上に集積させる。
この紙幣収納部１２の下部は回収部１３となっており、紙幣収納部１２の紙幣を繰り出
して自動計数する際に、それらの紙幣をこの回収部１３に回収することができるものとなっており、この回収部１３に回収された紙幣は、図示しない積み替え手段により，紙幣収納部１２の前記ステージ上に移動できるようになっている。
【０００８】
さらに、回収部１３の下方には、該回収部１３と仕切られたリジェクト紙幣収納部１４が設けてあり、前記自動計数等の際のリジェクト紙幣を収納する。
１５は、前記一括収納庫１１上に位置するように設けた繰り出し集積部であり、一括収納庫１１への紙幣集積および一括収納庫１１から紙幣を１枚ずつ繰り出す機能を有している。
【０００９】
１６は、前記一括収納庫１１から繰り出された紙幣の真偽、金種、表裏、正損等を鑑別および真券紙幣の計数等を行う鑑別部である。
１７〜２１は前記各構成要素を結んで紙幣を搬送する搬送路であり、搬送路２１が紙幣排出部である回転搬送路２２と接続し、この回転搬送路２２は接続用搬送路２３により、前記紙幣入出金機１および施封小束支払機３と接続されている。
【００１０】
また、鑑別部１６と紙幣排出部である回転搬送路２２との間の搬送路２１に分岐・反転用のブレード２４を設けて紙幣を反転させるようにして前記回収部１３に連結する環状路を形成する搬送路１８、１９を連結させる。
さらに、搬送路１８に分岐用のブレード２５を設けて搬送路２０をリジェクト紙幣収納部１４に連結させる。
【００１１】
上記構成による作用を以下に説明する。
紙幣が表裏混在されて収納されている紙幣収納部１２の紙幣が繰り出し集積部１５より繰り出された場合、繰り出された紙幣は、搬送路１７を通り、鑑別部１６で表裏を判定されて一方向側（この場合表とする）と判定されると、搬送路２１により紙幣排出部である回転搬送路２２さらに接続用搬送路２３へと搬送され、紙幣入出金機１もしくは施封小束支払機３へと集積される。
【００１２】
つぎに、紙幣収納部１２の紙幣が繰り出し集積部１５より繰り出された紙幣は、搬送路１７を通り、鑑別部１６で表裏を判定されて他方向側（この場合裏とする）と判定されると、分岐・反転用のブレード２４により環状路を形成する搬送路１８、１９を通って回収部１３に戻される。
このとき、回収部１３に戻って集積された紙幣は、ブレード２４により搬送路２１から反転するように環状路を形成する上記搬送路１８および１９を通ったことによって表裏が反転されており、表裏の一方向側（表）で集積されることになる。
【００１３】
したがって、この回収部１３に戻された紙幣は、再び一括収納庫１１から繰り出し集積部１５を介して一方向側（この場合は表）の状態で繰り出されて使用されることになる。
また、上記作用において、鑑別部１６で偽券等と鑑別されたリジェクト紙幣は、ブレード２４により搬送路１８、１９を通り、さらに分岐用のブレード２５を介して搬送路２０を通ってリジェクト紙幣収納部１４に収納されることになる。
【００１４】
なお、上記の説明は紙幣補充回収機で説明を行ったが、必ずしも紙幣補充回収機に限るものでなく、例えば一括収納庫を有する紙幣入出金機においても上記と同様であり、表裏および金種が混在して収納されている一括収納庫の紙幣を各金種別金庫に補充する場合、一方向側（表）と鑑別された紙幣を金種別金庫に装填し、他方向側（裏）と鑑別された紙幣は上記同様に環状路として形成された搬送路によって表裏を反転させて一括収納庫に戻されることとなる。
【図面の簡単な説明】
【００１５】
【図１】実施例を示す紙幣補充回収機の内部構成を示す側面図
【図２】現金処理装置の一例を示す全体斜視図
【符号の説明】
【００１６】
１  紙幣入出金機
２  紙幣補充回収機
３  施封小束支払機
４  棒金支払機
５  硬貨入出金機
６  制御部
７  操作卓
１１  一括収納庫
１２  紙幣収納部
１３  回収部
１４  リジェクト紙幣収納部
１５  繰り出し集積部
１６  鑑別部
１７〜２１  搬送路
２２  回転搬送路
２３  接続用搬送路
２４  ブレード
２５  ブレード
【図１】
2005234924.tif 000003
【図２】
2005234924.tif 000004